(57)【要約】【課題】高い外観品質を確保することができる屋外構造物を提供する。【解決手段】屋外構造物１０は、屋根材２２と、屋根材２２の下方に配置される天井材２３，２４と、屋根材２２及び天井材２３，２４を支持する枠部材１８とを有する屋根体１２を備え、屋根体１２が建物１１の壁部である袖壁１１ｂと連結される構成である。屋外構造物１０は、天井材２４を枠部材１８の側枠１８ｃに対して連結するアタッチメント部材３０を備え、アタッチメント部材３０は、側枠１８ｃより下方となる位置で天井材２４と連結されると共に、天井材２４との連結部６３よりも上方となる位置が袖壁１１ｂと連結されている。【選択図】図６
2018155070.tif 000002
【特許請求の範囲】
【請求項１】
屋根材と、該屋根材の下方に配置される天井材と、前記屋根材及び前記天井材を支持する枠部材とを有する屋根体を備え、該屋根体が建物の壁部と連結される屋外構造物であって、
前記天井材を前記枠部材に対して連結するアタッチメント部材を備え、
前記アタッチメント部材は、前記枠部材より下方となる位置で前記天井材と連結されると共に、前記天井材との連結部よりも上方となる位置が前記壁部と連結されていることを特徴とする屋外構造物。
【請求項２】
請求項１に記載の屋外構造物において、
前記アタッチメント部材よりも上方で前記枠部材に連結される上部アタッチメント部材を備え、
前記上部アタッチメント部材と前記壁部との間にシール材を設けたことを特徴とする屋外構造物。
【請求項３】
請求項２に記載の屋外構造物において、
前記枠部材は、その長手方向で一部のみが前記壁部と対向配置された構成であり、
前記枠部材と前記壁部とが対向している部分では、前記上部アタッチメント部材と前記壁部との間に前記シール材が設けられ、
前記枠部材と前記壁部とが対向していない部分では、前記上部アタッチメント部材に支持部材が連結されると共に、該支持部材と前記アタッチメント部材とに亘って化粧材が連結され、該化粧材によって前記枠部材、前記アタッチメント部材、前記上部アタッチメント部材及び前記支持部材の側方が覆われていることを特徴とする屋外構造物。
【請求項４】
請求項２又は３に記載の屋外構造物において、
前記屋根体は、前記枠部材における左右一対の側枠のそれぞれに前記アタッチメント部材が連結されると共に、一方の側枠が前記壁部と対向し、他方の側枠が前記壁部に対向しない構成であり、
前記一方の側枠は、前記上部アタッチメント部材が連結されると共に、該上部アタッチメント部材と前記壁部との間に前記シール材が設けられ、
前記他方の側枠は、前記アタッチメント部材よりも上方に支持アタッチメント部材が連結されると共に、該支持アタッチメント部材と前記アタッチメント部材とに亘って化粧材が連結され、該化粧材によって前記他方の側枠、前記アタッチメント部材及び前記支持アタッチメント部材の側方が覆われていることを特徴とする屋外構造物。
【発明の詳細な説明】
【技術分野】
【０００１】
本発明は、建物の壁部と連結される屋根体を備える屋外構造物に関する。
【背景技術】
【０００２】
住宅や店舗等の建物では、外壁の入隅部にテラス屋根を設置し、このテラス屋根の屋根材を支持する枠部材を入隅部の袖壁と連結した構成がある（例えば特許文献１参照）。
【先行技術文献】
【特許文献】
【０００３】
【特許文献１】特開平８−１２０７８３号公報
【発明の概要】
【発明が解決しようとする課題】
【０００４】
上記特許文献１の構成では、屋根体と袖壁との間にブラケット金具を設けて両者を連結している。ところが、ブラケット金具は、外観上に露出しており、この金具と袖壁との連結部となるボルト等も露出している。このため、テラス屋根の意匠性が低下し、テラス屋根だけでなく建物全体の外観品質を損なっている。
【０００５】
本発明は、上記従来技術の課題を考慮してなされたものであり、高い外観品質を確保することができる屋外構造物を提供することを目的とする。
【課題を解決するための手段】
【０００６】
本発明に係る屋外構造物は、屋根材と、該屋根材の下方に配置される天井材と、前記屋根材及び前記天井材を支持する枠部材とを有する屋根体を備え、該屋根体が建物の壁部と連結される屋外構造物であって、前記天井材を前記枠部材に対して連結するアタッチメント部材を備え、前記アタッチメント部材は、前記枠部材より下方となる位置で前記天井材と連結されると共に、前記天井材との連結部よりも上方となる位置が前記壁部と連結されていることを特徴とする。
【０００７】
このような構成によれば、当該屋外構造物は、天井材を枠部材に対して連結するアタッチメント部材を天井材との連結部より上方で壁部に連結する。これにより、アタッチメント部材やこのアタッチメント部材と壁部との連結部を天井材によって覆い隠すことができる。このため、当該屋外構造物は高い外観品質を確保することができる。しかも当該屋外構造物では、天井材をアタッチメント部材で枠部材と連結する。このため、天井材を高強度でがたつきなく設置することができ、製品品質が向上する。
【０００８】
本発明に係る屋外構造物において、前記アタッチメント部材よりも上方で前記枠部材に連結される上部アタッチメント部材を備え、前記上部アタッチメント部材と前記壁部との間にシール材を設けた構成であってもよい。そうすると、屋根体と壁部との間の隙間をシール材で止水し、雨水等が壁部を伝って流れ落ちることを防止できる。
【０００９】
本発明に係る屋外構造物において、前記枠部材は、その長手方向で一部のみが前記壁部と対向配置された構成であり、前記枠部材と前記壁部とが対向している部分では、前記上部アタッチメント部材と前記壁部との間に前記シール材が設けられ、前記枠部材と前記壁部とが対向していない部分では、前記上部アタッチメント部材に支持部材が連結されると共に、該支持部材と前記アタッチメント部材とに亘って化粧材が連結され、該化粧材によって前記枠部材、前記アタッチメント部材、前記上部アタッチメント部材及び前記支持部材の側方が覆われた構成であってもよい。そうすると、１本の枠部材に壁部と対向した部分と、対向しない部分が混在する状態であっても、屋根体と壁部との間のシール材による止水効果と、化粧材による外観品質の向上効果とを得ることができる。しかも枠部材は、壁部と対向しない部分は、対向する部分と同じ構造の上部アタッチメント部材に支持部材を追加するだけで化粧材を設置できる。このため、当該屋外構造物は、部品点数を最小限に抑えることができ、コストを低減できる。
【００１０】
本発明に係る屋外構造物において、前記屋根体は、前記枠部材における左右一対の側枠のそれぞれに前記アタッチメント部材が連結されると共に、一方の側枠が前記壁部と対向し、他方の側枠が前記壁部に対向しない構成であり、前記一方の側枠は、前記上部アタッチメント部材が連結されると共に、該上部アタッチメント部材と前記壁部との間に前記シール材が設けられ、前記他方の側枠は、前記アタッチメント部材よりも上方に支持アタッチメント部材が連結されると共に、該支持アタッチメント部材と前記アタッチメント部材とに亘って化粧材が連結され、該化粧材によって前記他方の側枠、前記アタッチメント部材及び前記支持アタッチメント部材の側方が覆われた構成であってもよい。すなわち、当該屋外構造物は、左右の側枠が壁部に対向しているか否かに応じて、各側枠に連結したアタッチメント部材の上方に上部アタッチメント部材又は支持アタッチメント部材を設ける。これにより当該屋外構造物は、上部アタッチメント部材又は支持アタッチメント部材を交換するだけで、枠部材の壁部に対する対向状況の有無に対応した構造を構築できる。このため当該屋外構造物は、その設置状況に応じて一部のアタッチメント等を選択するだけで各状況に共用でき、部品共通化によるコスト低減が可能となる。
【発明の効果】
【００１１】
本発明によれば、高い外観品質を確保することができる。
【図面の簡単な説明】
【００１２】
【図１】図１は、本発明の一実施形態に係る屋外構造物の正面図である。
【図２】図２は、図１に示す屋外構造物の側面断面図である。
【図３】図３は、図１に示す屋外構造物の設置状態を模式的に示した平面図である。
【図４】図４は、屋外構造物を両入隅構造の入隅部に設置した状態を模式的に示した平面図である。
【図５】図５は、図３及び図７中のＶ−Ｖ線に沿う断面図である。
【図６】図６は、図３、図４及び図７中のＶＩ−ＶＩ線に沿う断面図である。
【図７】図７は、入隅部の袖壁から張り出した屋外構造物の設置状態を模式的に示した平面図である。
【図８】図８は、図７中のＶＩＩＩ−ＶＩＩＩ線に沿う断面図である。
【発明を実施するための形態】
【００１３】
以下、本発明に係る屋外構造物について好適な実施の形態を挙げ、添付の図面を参照しながら詳細に説明する。
【００１４】
１．屋外構造物の全体構成の説明
図１は、本発明の一実施形態に係る屋外構造物１０の正面図である。図２は、図１に示す屋外構造物１０の側面断面図である。図３は、図１に示す屋外構造物１０の設置状態を模式的に示した平面図である。本実施形態では、住宅や店舗等の建物１１の外壁から張り出すように設置されるテラス屋根としての屋外構造物１０を例示する。屋外構造物１０は、例えば玄関庇やカーポート等でもよい。
【００１５】
以下、テラス屋根である屋外構造物１０に対して人が屋外から屋内へと進入する方向を正面とし、屋外構造物１０を正面から見て手前側を前、奥側を後、上方を上、下方を下、左方を左、右方を右、と呼んで説明する。また屋根体１２の中央側を内側、外周側を外側と呼ぶ。さらに各図においては、前後方向を矢印Ｚで示し、上下方向を矢印Ｙで示し、左右方向を矢印Ｘで示す。
【００１６】
図１〜図３に示すように、屋外構造物１０は、屋根体１２と、左右一対の柱部材１４，１４とを備える。屋外構造物１０は、建物１１の入隅部１５に設置される。図１〜図３では、建物１１の外壁に正面壁１１ａと１つの袖壁（側面壁）とを備えた片入隅構造の入隅部１５に屋外構造物１０を設置した構成を例示している。詳細は後述するが、屋外構造物１０は、その構成を多少変更することで、正面壁１１ａと一対の袖壁１１ｂ，１１ｃとを備えた両入隅構造の入隅部１５Ａ（図４参照）や、袖壁１１ｂ，１１ｃを持たず、入隅構造ではない正面壁１１ａに設置することもできる。
【００１７】
屋根体１２は、天井１６を設けた軒天構造であり、枠部材１８と、桁部材２０と、屋根材２２と、天井材２３，２４とを有する。屋根体１２は、後側から前側に向かって次第に下方に傾斜した前下がり構造である。
【００１８】
枠部材１８は、左右方向に延びた前側の前枠１８ａ及び後側の垂木掛け１８ｂと、前後方向に延びた左側の側枠１８ｃ及び右側の側枠１８ｄとを四周枠組みした構成である。各枠１８ａ〜１８ｄは、アルミニウム等の金属の押出形材である。前枠１８ａ及び右側の側枠１８ｄの外面には、帯板状のパネル材である化粧材２５が装着されている。化粧材２５は屋根体１２の前側面及び右側面の２面を覆うものであり、屋根体１２の外観品質を向上させるものである。枠部材１８は、垂木掛け１８ｂが固定ねじ２６を用いて正面壁１１ａに連結され（図２参照）、袖壁１１ｂに対向する左側の側枠１８ｃが固定ねじ２７を用いて袖壁１１ｂに連結される（図６参照）。
【００１９】
桁部材２０は、左右方向に延在する断面略矩形状の角柱部材である。桁部材２０は、枠部材１８の内側で前寄りの位置に設けられ、左右の柱部材１４，１４間を連結して枠部材１８を支持している。桁部材２０、前枠１８ａ及び垂木掛け１８ｂの上面には、前後方向に沿って延びた複数の垂木２８が支持される。各垂木２８は、枠部材１８及び桁部材２０の上面上で左右方向に並んで固定される。
【００２０】
屋根材２２は、樹脂や金属等の薄板で形成されて前後方向に延びたパネルである。屋根材２２は、前枠１８ａ、垂木掛け１８ｂ、側枠１８ｃ，１８ｄ及び垂木２８に支持され、左右方向に複数並設されることで屋根体１２の上面を覆っている。
【００２１】
天井１６は、屋根材２２の下方に設けられた軒天である。天井１６は、天井材２３と、天井材２４とで構成されている。
【００２２】
天井材２３は、樹脂や金属等の薄板で形成されて前後方向に延びたパネルである。天井１６の大部分は天井材２３によって構成される。天井材２３は、左右の柱部材１４，１４間に亘って左右方向に複数並設されると共に、桁部材２０を挟んで前後方向に２列設けられている。天井材２３は、吊下部材２９を介して垂木２８の下方に吊り下げ状態で取り付けられている。吊下部材２９は、例えばアルミニウム等の金属製の押出形材であり、左右方向に延在している。天井材２４は、柱部材１４との干渉を考慮して天井材２３を設置できない部分、具体的には天井１６の左右側縁部を構成するものである。天井材２４は、当該屋外構造物１０を前側から見た正面視で、左右の柱部材１４に重なる位置に設けられ、天井材２３の側端部と連続している。左右の天井材２４は、それぞれアタッチメント部材３０を介して左右の側枠１８ｃ，１８ｄと連結される（図５及び図６参照）。
【００２３】
柱部材１４は、断面略矩形状に構成されて上下に延びた角柱部材である。柱部材１４は、下端部が地面３２に固定され、上端部が桁部材２０と連結されることで、屋根体１２を支持する支柱である。柱部材１４は省略してもよく、例えば袖壁１１ｂ側のみを省略してもよい。
【００２４】
本実施形態の場合、柱部材１４と桁部材２０とは、柱部材１４の上端部に桁部材２０の端部が飲み込まれた構造、つまり柱勝ち構造で連結される。柱部材１４は、その内側面（例えば左側の柱部材１４の場合は右側面）の上部に切欠部３４を有する。切欠部３４に桁部材２０の端部を挿入した状態で連結ねじ３５を締め付けることで、柱部材１４と桁部材２０とが締結固定される。本実施形態の場合、連結ねじ３５による柱部材１４と桁部材２０との締結部である締結部３８が、天井材２３と屋根材２２との間となる高さ位置に位置している（図２参照）。つまり締結部３８は、天井材２３と屋根材２２との間に形成された天井裏空間Ｓに位置し、外部から視認できない配置である。このため、屋外構造物１０の外観品質が確保されている。
【００２５】
図１に示すように、屋外構造物１０は、左側の柱部材１４に沿って設けられ、屋根材２２からの雨水等を排水する排水管４０を備える。図２に示すように、排水管４０の上端部は、前枠１８ａの左端部に連結された前枠樋部に連結されたドレイン４２と連結されている。ドレイン４２は、屋根材２２上を前側に滑って前枠１８ａに落下した雨水等を集めて排水管４０へと流通させるためのロートとして機能する。排水管４０は、左右の柱部材１４，１４のそれぞれに沿って一対配設されてもよく、この場合はドレイン４２を前枠１８ａの左右両端に設けるとよい。
【００２６】
排水管４０は、上端部がドレイン４２の下端面に連結され、天井材２３，２４と屋根材２２との間の天井裏空間Ｓを通って柱部材１４の前側面に到達する。排水管４０は、柱部材１４の前側面に沿って下方に垂下された後、下端部が地面３２付近で開口して排水口４０ａを形成している。柱部材１４の前側面には、排水管４０の周囲を覆い隠す排水管カバー４３が装着されている。
【００２７】
図２に示すように、桁部材２０より後側の天井材２３は、前端部が受け部材４４に支持され、後端部が垂木掛けアタッチメント部材４５に支持される。受け部材４４は桁部材２０の後側面に取付固定され、垂木掛けアタッチメント部材４５は垂木掛け１８ｂの下面に当接するように固定ねじ２６を用いて正面壁１１ａに取付固定されている。桁部材２０より前側の天井材２３は、前端部が前枠アタッチメント部材４６に支持され、後端部が桁部材２０の取付溝２０ｂに支持される。前枠アタッチメント部材４６は前枠１８ａに取付固定され、取付溝２０ｂは桁部材２０の前側面の長手方向に沿って形成されている。
【００２８】
２．屋根体の側部構造の説明
次に、屋根体１２を構成する左右の側枠１８ｃ，１８ｄの周辺構造を説明する。図５は、図３及び図７中のＶ−Ｖ線に沿う断面図である。図６は、図３、図４及び図７中のＶＩ−ＶＩ線に沿う断面図である。
【００２９】
２．１  袖壁と対向していない部分での側枠の周辺構造の説明
先ず、袖壁１１ｂと対向していない部分、つまり図１及び図３中で右側の側枠１８ｄの周辺構造を説明する。
【００３０】
図５に示すように、側枠１８ｄは、略矩形の断面形状を有して屋根体１２の上部で前後方向に延在し、屋根材２２を支持する形材である。なお、左右の側枠１８ｃ，１８ｄは同一の断面形状を有し、互いに左右対称に配置されている（図５及び図６参照）。側枠１８ｄは、その下面にアタッチメント部材３０が連結され、その外側面に支持アタッチメント部材４８が連結されている。天井材２４は、外側端部がアタッチメント部材３０に連結され、内側端部が天井材２３と連結される。
【００３１】
アタッチメント部材３０は、断面略Ｌ字形状の形材である。アタッチメント部材３０は、左右方向に沿う上板３０ａと、上下方向に沿う側板３０ｂとを有する。上板３０ａは、側枠１８ｄの下面に当接配置され、取付ねじ４９を用いて側枠１８ｄと連結固定される。側板３０ｂは、上板３０ａの外側端部から垂下され、側枠１８ｄより外側且つ下方となる位置で上下方向に延在している。側板３０ｂは、その内面に内側に向かって突出した連結片３０ｃを有する。連結片３０ｃには、天井材２４の天井材２３側とは反対側の外側端部が取付ねじ５０を用いて連結される。側板３０ｂは、垂木掛け１８ｂ（及び前枠１８ａ）の端部と略面一となる位置に配置される。
【００３２】
支持アタッチメント部材４８は、断面略Ｔ字形状の形材であり、アタッチメント部材３０よりも上方に配置されている。支持アタッチメント部材４８は、左右方向に沿う上板４８ａが側枠１８ｄの上面に当接配置され、上下方向に沿う取付片４８ｂが取付ねじ５１を用いて側枠１８ｄの外側面に連結される。支持アタッチメント部材４８は、上板４８ａの外側端部となる支持片４８ｃがアタッチメント部材３０の側板３０ｂの上方に重なる位置に配置される。
【００３３】
化粧材２５は、上端部が取付ねじ５２を用いて支持アタッチメント部材４８の支持片４８ｃと連結され、下端部がアタッチメント部材３０の側板３０ｂの下端部に係合される。つまり化粧材２５は、上部の支持アタッチメント部材４８と下部のアタッチメント部材３０とに亘って連結される。これにより化粧材２５は、側枠１８ｄ、アタッチメント部材３０、支持アタッチメント部材４８及び天井材２４の側方を覆うカバー部材として機能する。
【００３４】
天井材２４は、天井材２３側の内側端部に設けられた取付片２４ａが取付ねじ５４を介して吊下部材２９の裏板５６に締結される。これにより天井材２４は、内側端部が吊下部材２９を介して側枠１８ｃ，１８ｄ及び垂木２８に吊下支持される。なお、吊下部材２９は、その上取付部２９ａが取付ねじ５７を用いて垂木２８の下面に締結固定される（図２参照）。吊下部材２９の左右端部では、上取付部２９ａは取付ねじ５７を用いて側枠１８ｃ，１８ｄの下面に締結固定される（図５及び図６参照）。裏板５６は、吊下部材２９の下取付部２９ｂに保持されている。
【００３５】
天井材２４は、天井材２３側とは反対側の外側端部に設けられた連結片２４ｂが取付ねじ５０を用いてアタッチメント部材３０の連結片３０ｃと連結される。これにより天井材２４は、外側端部がアタッチメント部材３０を介して側枠１８ｄと連結固定される。
【００３６】
なお、天井材２４の取付片２４ａには、取付ねじ５４によって連結部材５８が共締めされる。連結部材５８には、天井材２３の端部が取付ねじ５９を用いて締結固定される。連結部材５８や取付ねじ５９等が外観上に露出することを防止するため、天井材２４の端部には前後方向に延在するカバー部材６０が装着される。
【００３７】
２．２  袖壁と対向した部分での側枠の周辺構造の説明
次に、袖壁１１ｂと対向した部分、つまり図１及び図３中で左側の側枠１８ｃの周辺構造を説明する。なお、この左側の側枠１８ｃの周辺構造を構成する各要素について、図５に示す右側の側枠１８ｄの周辺構造を構成する各要素と同様又は同一の要素には同一の参照符号を付して詳細な説明を省略する。
【００３８】
図６に示すように、側枠１８ｃは、その下面にアタッチメント部材３０が連結され、その外側面に上部アタッチメント部材６２が連結されている。天井材２４は、外側端部がアタッチメント部材３０に連結され、内側端部が天井材２３と連結される。この際、天井材２４の連結片２４ｂはアタッチメント部材３０の連結片３０ｃに引っ掛けて連結されている。
【００３９】
上部アタッチメント部材６２は、断面略Ｚ字形状（クランク形状）の形材であり、アタッチメント部材３０よりも上方に配置されている。上部アタッチメント部材６２は、左右方向に沿う上板６２ａと、上下方向に沿う側板６２ｂと、左右方向に沿う突出片６２ｃとを有する。上板６２ａは、側枠１８ｃの上面に当接配置される。側板６２ｂは、上板６２ａの外側端部から垂下され、取付ねじ５１を用いて側枠１８ｃの外側面に連結される。突出片６２ｃは、側板６２ｂの下端部から屈曲し、袖壁１１ｂに向かって突出している。上部アタッチメント部材６２は、突出片６２ｃがアタッチメント部材３０の側板３０ｂの上方に重なる位置に配置される。
【００４０】
図５及び図６に示すように、上部アタッチメント部材６２は、支持アタッチメント部材４８に代えて側枠１８ｃ（又は側枠１８ｄ）に装着される。つまり、仮に袖壁１１ｂが右側の側枠１８ｄに対向している場合は、この側枠１８ｄに対して支持アタッチメント部材４８の代わりに上部アタッチメント部材６２を装着する。また、仮に袖壁１１ｂが左側の側枠１８ｃに対向していない場合は、この側枠１８ｃに対して上部アタッチメント部材６２の代わりに支持アタッチメント部材４８を装着する。
【００４１】
側枠１８ｃは、袖壁１１ｂに対向配置されるため、化粧材２５が装着されない。側枠１８ｃに連結されたアタッチメント部材３０は、側板３０ｂが袖壁１１ｂに当接配置され、固定ねじ２７を用いて袖壁１１ｂと連結固定される。固定ねじ２７による袖壁１１ｂと側板３０ｂとの連結部（壁連結部）６１は、連結片２４ｂ，３０ｃによる天井材２４と側板３０ｂとの連結部（天井連結部）６３よりも上方となる位置にある。そこで、固定ねじ２７は、天井材２４をアタッチメント部材３０に連結する前に袖壁１１ｂと締結される。その後、天井材２４をアタッチメント部材３０に連結することで、天井材２４によって連結部６１が下方から覆われ、外観上から隠される。
【００４２】
上部アタッチメント部材６２と袖壁１１ｂとの間にはシール材６４で封止される。本実施形態では、側板６２ｂと突出片６２ｃと袖壁１１ｂとで囲まれた隙間空間にバックアップ材６５が配設保持される。そして、側板６２ｂとバックアップ材６５と袖壁１１ｂとで囲まれた隙間空間にシール材６４が配設される。これにより、屋根体１２と袖壁１１ｂとの間の隙間がシール材６４で止水され、雨水等がこの隙間から袖壁１１ｂを伝って流れ落ちることが防止される。
【００４３】
袖壁１１ｂに当接したアタッチメント部材３０の側板３０ｂと天井材２４との間もシール材６６で封止される。本実施形態では、天井材２４の連結片２４ｂ及びその近傍部分と側板３０ｂの連結片３０ｃと側板３０ｂとで囲まれた隙間空間にバックアップ材６７が配設保持される。そして、側板３０ｂとバックアップ材６７と天井材２４とで囲まれた隙間空間にシール材６６が配設される。これにより、屋根体１２と正面壁１１ａとの間の隙間がシール材６６で止水され、雨水等が正面壁１１ａと袖壁１１ｂとの境界となる角部から正面壁１１ａや袖壁１１ｂを伝って流れ落ちることが防止される。
【００４４】
なお、図４に示す両入隅構造の入隅部１５Ａでは、左右の袖壁１１ｂ，１１ｃと左右の側枠１８ｃ，１８ｄとの間にそれぞれ、図６と同一の構造となるアタッチメント部材３０、上部アタッチメント部材６２及びシール材６４，６６等を設ければよい。
【００４５】
２．３  入隅部の袖壁から張り出した部分での側枠の周辺構造の説明
次に、袖壁１１ｂから屋根体１２が張り出した部分での側枠１８ｃの周辺構造を説明する。図７は、入隅部１５の袖壁１１ｂから張り出した屋外構造物１０の設置状態を模式的に示した平面図である。図８は、図７中のＶＩＩＩ−ＶＩＩＩ線に沿う断面図である。
【００４６】
図７に示すように、入隅部１５に屋外構造物１０が設置される場合、袖壁１１ｂよりも屋外構造物１０（屋根体１２）が前方に張り出した状態で設置されることもある。そこで、この設置状態では、左側の側枠１８ｃは、後側の一部（部分Ｒ１）のみが袖壁１１ｂと対向配置された閉塞状態となり、前側の残部（部分Ｒ２）は袖壁１１ｂとは対向されない開放状態となる。
【００４７】
先ず、図７中の袖壁１１ｂと対向している部分Ｒ１では、図６に示す構造と同一の構造が適用される。すなわち、側枠１８ｃに連結したアタッチメント部材３０が袖壁１１ｂと連結され、側枠１８ｃに連結した上部アタッチメント部材６２と袖壁１１ｂとの間にシール材６４が配設される。
【００４８】
次に、図７中の袖壁１１ｂと対向していない部分（張り出し部分）Ｒ２では、図８に示す構造が適用される。すなわち、この部分Ｒ２は部分Ｒ１の延長上にある。このため、この場合の側枠１８ｃは、図６に示す構造と同様にアタッチメント部材３０及び上部アタッチメント部材６２が連結された状態にある。そこで、この部分Ｒ２における上部アタッチメント部材６２には、支持部材６８を連結する。支持部材６８は、例えば断面Ｌ字形状の形材（アングル部材）である。
【００４９】
支持部材６８は、その上下方向の板部が取付ねじ５１を用いて上部アタッチメント部材６２の側板６２ｂと共に側枠１８ｃの外側面に対して共締めされる。支持部材６８は、側枠１８ｃ及び上部アタッチメント部材６２と連結された状態で、アタッチメント部材３０の側板３０ｂの上方に重なる位置に取付片６８ａが突出した状態となる。この取付片６８ａには、取付ねじ５２を用いて化粧材２５の上端部が連結される。この化粧材２５の下端部は、アタッチメント部材３０の側板３０ｂの下端部に係合される。つまり化粧材２５は、上部の支持部材６８と下部のアタッチメント部材３０とに亘って連結される。
【００５０】
このように図７中の部分Ｒ２では、上部アタッチメント部材６２に支持部材６８を連結することで、図５中の支持アタッチメント部材４８と同様な形状及び機能を持ったブラケットを構築し、化粧材２５を装着可能としている。これにより、化粧材２５が側枠１８ｃ、アタッチメント部材３０、支持部材６８及び天井材２４の側方を覆うカバー部材として機能する。その結果、袖壁１１ｂから張り出した部分Ｒ２でアタッチメント部材３０等が露出し、その外観品質が低下することを防止できる。このように入隅部１５に部分Ｒ１，Ｒ２を持つ場合の構造は、当然左側の側枠１８ｄに適用される場合もある。
【００５１】
３．屋外構造物の作用効果の説明
以上のように、本実施形態に係る屋外構造物１０は、屋根材２２と、屋根材２２の下方に配置される天井材２３，２４と、屋根材２２及び天井材２３，２４を支持する枠部材１８とを有する屋根体１２を備え、屋根体１２が建物１１の壁部である袖壁１１ｂと連結される構成である。屋外構造物１０は、天井材２４を枠部材１８の側枠１８ｃ（１８ｄ）に対して連結するアタッチメント部材３０を備え、アタッチメント部材３０は、側枠１８ｃ（１８ｄ）より下方となる位置で天井材２４と連結されると共に、天井材２４との連結部６３よりも上方となる位置が袖壁１１ｂと連結されている。
【００５２】
このように当該屋外構造物１０は、天井材２４を側枠１８ｃ（１８ｄ）に対して連結するアタッチメント部材３０を天井材２４との連結部６３より上方の連結部６１で袖壁１１ｂに連結する。これにより、アタッチメント部材３０やこのアタッチメント部材３０と袖壁１１ｂとの連結部６１（固定ねじ２７）を天井材２４によって覆い隠すことができる。このため、当該屋外構造物１０は高い外観品質を確保することができる。しかも当該屋外構造物１０では、天井材２４をアタッチメント部材３０で側枠１８ｃ（１８ｄ）と連結する。このため、天井材２４を高強度でがたつきなく設置することができ、製品品質が向上する。さらに当該屋外構造物１０は、屋根体１２が袖壁１１ｂ（及び正面壁１１ａ）と連結されるため、耐荷重や安定性が向上する。
【００５３】
当該屋外構造物１０は、アタッチメント部材３０よりも上方で側枠１８ｄ（１８ｃ）に連結される上部アタッチメント部材６２を備え、上部アタッチメント部材６２と袖壁１１ｂとの間にシール材６４を設けている。これにより、屋根体１２と袖壁１１ｂとの間の隙間をシール材６４で止水し、雨水等が袖壁１１ｂを伝って流れ落ちることを防止できる。
【００５４】
当該屋外構造物１０では、側枠１８ｃ（１８ｄ）は、その長手方向で一部のみが袖壁１１ｂと対向配置された構成である。この場合、当該屋外構造物１０は、側枠１８ｃ（１８ｄ）と袖壁１１ｂとが対向している部分Ｒ１では、上部アタッチメント部材６２と袖壁１１ｂとの間にシール材６４が設けられる。また、当該屋外構造物１０は、側枠１８ｃ（１８ｄ）と袖壁１１ｂとが対向していない部分Ｒ２では、上部アタッチメント部材６２に支持部材６８が連結されると共に、支持部材６８とアタッチメント部材３０とに亘って化粧材２５が連結される。そして、化粧材２５は、側枠１８ｃ（１８ｄ）、アタッチメント部材３０、上部アタッチメント部材６２及び支持部材６８を側方から覆う。これにより、１本の側枠１８ｃ（１８ｄ）に袖壁１１ｂと対向した部分Ｒ１と、対向しない部分Ｒ２が混在する状態であっても、屋根体１２と袖壁１１ｂとの間のシール材６４による止水効果と、化粧材２５による外観品質の向上効果とを得ることができる。しかも、部分Ｒ２では、部分Ｒ１と同じ構造の上部アタッチメント部材６２に支持部材６８を追加するだけで化粧材２５を設置できる。このため、当該屋外構造物１０は、部品点数を最小限に抑えることができ、コストを低減できる。
【００５５】
当該屋外構造物１０では、屋根体１２は、左右一対の側枠１８ｃ，１８ｄのそれぞれにアタッチメント部材３０が連結されると共に、一方の側枠１８ｃが袖壁１１ｂと対向し、他方の側枠１８ｄが袖壁１１ｂに対向しない構成である。そして、一方の側枠１８ｃは、上部アタッチメント部材６２が連結されると共に、上部アタッチメント部材６２と袖壁１１ｂとの間にシール材６４が設けられる。また、他方の側枠１８ｄは、アタッチメント部材３０よりも上方に支持アタッチメント部材４８が連結されると共に、支持アタッチメント部材４８とアタッチメント部材３０とに亘って化粧材２５が連結され、化粧材２５によって側枠１８ｄ、アタッチメント部材３０及び支持アタッチメント部材４８の側方が覆われている。すなわち、左右の側枠１８ｃ，１８ｄが袖壁１１ｂに対向しているか否かに応じて、各側枠１８ｃ，１８ｄに連結したアタッチメント部材３０の上方に上部アタッチメント部材６２又は支持アタッチメント部材４８を設ける。これにより当該屋外構造物１０は、上部アタッチメント部材６２又は支持アタッチメント部材４８を交換するだけで、袖壁１１ｂに対する対向状況の有無に対応できる。このため当該屋外構造物１０は、その設置状況に応じて一部のアタッチメント等を選択するだけで各状況に共用でき、部品共通化によるコスト低減が可能となる。
【００５６】
なお、本発明は、上記した実施形態に限定されるものではなく、本発明の主旨を逸脱しない範囲で自由に変更できることは勿論である。
【符号の説明】
【００５７】
１０  屋外構造物、１１  建物、１１ａ  正面壁、１１ｂ  袖壁、１２  屋根体、１４  柱部材、１５，１５Ａ  入隅部、１８  枠部材、１８ａ  前枠、１８ｂ  垂木掛け、１８ｃ，１８ｄ  側枠、２２  屋根材、２３，２４  天井材、２５  化粧材、３０  アタッチメント部材、４８  支持アタッチメント部材、６１，６３  連結部、６２  上部アタッチメント部材、６４，６６  シール材、６８  支持部材
【図１】
2018155070.tif 000003
【図２】
2018155070.tif 000004
【図３】
2018155070.tif 000005
【図４】
2018155070.tif 000006
【図５】
2018155070.tif 000007
【図６】
2018155070.tif 000008
【図７】
2018155070.tif 000009
【図８】
2018155070.tif 000010